Podtech/llm-jp-corpus-v4-ja_patent huggingface dataset:
(57)【要約】      （修正有）【課題】何回でも使用でき資源の有効利用となるプラスチック製の封筒を提供。【解決手段】封筒をプラスチック製で作成し、郵便番号、切手、住所の記入等は粘着性のある紙等に記入して封筒の表側に貼り付け、郵便等に使用する。または、プラスチック製の封筒の表側の外側または内側に内袋をつくり、その中に郵便番号、住所等を記入した紙を挿入できるようにする。その部分は封筒の表から見えるように透明のプラスチックを使用する。切手がプラスチック製の製品に接着しにくいため、粘着性がある紙等を貼り付ける。【選択図】図５
0003114759.tif 000002
【実用新案登録請求の範囲】
【請求項１】
封筒は、プラスチック製で作成し、郵便番号、切手、住所の記入等は粘着性のある紙等に記入して封筒の表側に貼り付け、郵便等に使用する。
または、プラスチック製の封筒の表側の外側または内側に内袋をつくり、その中に郵便番号、住所等を記入した紙を挿入できるようにする。その部分は封筒の表から見えるように透明のプラスチック製等を使用する。切手がプラスチック製の製品に接着しにくいため、紙を貼り付けその上に切手がはれるようにする。
封筒の表側に貼り付ける紙等は、粘着性がよく綺麗にはがれる紙等を使用する。
封筒を封するところは、粘着性が良く綺麗にはがれる紙・テープ等、チャック、スライダー金具、封筒の封する所に接着剤の貼り付け、その他の方法で封する。
使用する封筒は、定型形、否定形形とする。
封筒に入れる書類等が多い場合、多くの書類等を入れやすいように、封筒の表側と裏側の間に幅をつくり、封筒内の体積を増やす。
【考案の詳細な説明】
【技術分野】
【０００１】  本案件は、郵送等に使用する封筒に関する。
【背景技術】
【０００２】  郵送等で使用する封筒は、最近ではプラスチック製の封筒も一部使用されているが一般的に紙製の封筒が使用されている。紙製の封筒、プラスチック製の封筒も普通、一回限りしか使用されていない。そのため、大変資源が非常に無駄である。そのため何回でも繰り返し使用できるプラスチック製の封筒を作成する。
【考案の開示】
【考案が解決しようとする課題】
【０００３】  封筒のほとんどが一回しか使用されていないため、資源として大変無駄である。
一般家庭でも年間かなりの量の封筒が送られてきており、会社となれば年間膨大な量の封筒が送られてきている。そのほとんどをゴミとして破棄されている。
プラスチック製の封筒を使用することにより、何回でも使用でき資源の有効利用となる。（郵送されてきた封筒は、不要物を取り除けば、再度何回でも繰り返し郵送することができる）
【課題を解決するための手段】
【０００４】  封筒をプラスチック製（図１〜図６）で作成し、郵便番号、切手、住所の記入等は粘着性のある紙等に記入して封筒の表側に貼り付け、郵便等に使用する。
または、プラスチック製の封筒の表側の外側または内側に内袋（図３、図５）をつくり、その中に郵便番号、住所等を記入した紙を挿入できるようにする。その部分は封筒の表から見えるように透明のプラスチック製等を使用する。切手がプラスチック製の製品に接着しにくいため、粘着性のある紙等を貼り付けその上に切手がはれるようにする。そして郵便等に使用できるようにする。
封筒の表側に貼り付ける紙等は、粘着性がよく綺麗にはがれる紙等を使用する。
封筒の封するところは、粘着性が良く綺麗にはがれる紙・テープ等、チャック、スライダー金具、封筒の封する所に接着剤の貼り付け、その他の方法で封する。
使用する封筒は、定型形、否定型形とする。
封筒は入れる書類等が多い場合、多くの書類等を入れやすいように、封筒の表側と裏側の間に幅をつくり、封筒の体積を増やす。
【考案の効果】
【０００５】  プラスチック製の封筒に貼られた紙・テープ等をはがすことにより、何回でも繰り返し使用可能となり、資源の有効利用となる。
【図面の簡単な説明】
【０００６】
【図１】プラスチック製の封筒の表側
【図２】プラスチック製の封筒の裏側
【図３】プラスチック製の封筒（外側に内袋）の表側
【図４】プラスチック製の封筒（外側に内袋）の裏側
【図５】プラスチック製の封筒（内側に内袋）の表側
【図６】プラスチック製の封筒（内側に内袋）の裏側
【符号の説明】
【０００７】１  封筒本体
２  内袋（外側）
３  内袋（内側）
【図１】
0003114759.tif 000003
【図２】
0003114759.tif 000004
【図３】
0003114759.tif 000005
【図４】
0003114759.tif 000006
【図５】
0003114759.tif 000007
【図６】
0003114759.tif 000008
【手続補正書】
【提出日】平成17年6月25日(2005.6.25)
【手続補正１】
【補正対象書類名】実用新案登録請求の範囲
【補正対象項目名】全文
【補正方法】変更
【補正の内容】
【実用新案登録請求の範囲】
【請求項１】
封筒は、耐久性のあるプラスチック製で郵便等に使用する構造の封筒。
【請求項２】
プラスチック製封筒の表側の外側に内袋をつくり、その中に郵便番号、住所等を記入した紙を挿入できる構造のプラッチック製封筒。
【請求項３】
プラスチック製封筒の表側の内側に内袋をつくり、その中に郵便番号、住所等を記入した紙を挿入できる構造のプラスチック製封筒。
【請求項４】
封筒に入れる書類等が多い場合、多くの書類等を入れやすいように、封筒の表側と裏側の側面にまちをつくり、封筒内の体積を増やすことができる構造のプラスチック製封筒。
(57)【要約】      （修正有）【課題】学校や会社などにある優勝旗の保管、運搬及び取扱時、転倒、接触などにより、その先端部分が、人の頭か目に当たる重大事故の発生を防ぐ。【解決手段】弾力と強度のある無色透明な合成樹脂により、先が円形である円筒形に形成されて、その内部は三面鉾剣１に密着する穴と下部にひもを通す穴３を設け優勝旗の先端部分に取り付けて使用する。【選択図】図１
0003114753.tif 000002
【実用新案登録請求の範囲】
【請求項１】
優勝旗の先端部分に取り付ける安全防護覆い。
【考案の詳細な説明】
【技術分野】
【０００１】この考案は、学校や会社などにある優勝旗の保管、運搬及び取扱時の事故防止のための、旗の先端部分に取り付ける安全防護覆いに関する。
【背景技術】
【０００２】従来は、旗の表示を見やすくした旗竿がある。
【実用新案文献１】
実用新案登録番号  第３０１０６４９号
【考案の開示】
【考案が解決しようとする課題】
【０００３】小学校の運動会で、本部席テント横に置かれた優勝旗が風で倒れて、そばを通り掛かった小学生の背中に旗の部分が当たり、その場は無事であった。【０００４】仮に、先端部分（真鍮製で三角錐、三面鉾剣）が小学生の頭か目に当ると大事故になるところであった。【０００５】その時、１人の教師が、三脚台をおこして、元の位置に旗を立て直したが、事後の安全対策はなされなかった。【０００６】以上のように、学校や会社などにある優勝旗の保管、運搬及び取り扱い時、重大事故発生の危険性が常に存在し、緊急に対策が必要である。
【課題を解決するための手段】
【０００７】適度な弾力と強度のある、無色透明な合成樹脂で作製された安全防護覆いを旗の先端部分に取り付ける。
【考案の効果】
【０００８】この安全防護覆いは、旗の先端部分の三面鉾剣の外観の価値を表示しつつ、予想される事故を未然に防止することを目的とする。
【考案を実施するための最良の形態】
【０００９】この安全防護覆いは、人の顔や頭に当る接触面を広くし、衝撃を軟らかくするため、先端部分及び同筒部分がすべて円形であることが必要である。
【実施例】
【００１０】旗の先端部分は、真鍮製で三角錘、三面鉾剣（別に四角錘、四面菱剣もある）を例にとり、図面を参照して説明する。【００１１】この安全防護覆いは、図１から図４に示すように適度な弾力と強度のある、無色透明な合成樹脂で作製され、その内側には三面鉾剣に密着する穴があり、その下部にはこの防護覆いを三面鉾剣の下部中心軸に結着するためのひもを通す穴がある。【００１２】この安全防護覆いは、室内保管、運搬及び取扱時、旗の先端部分に取り付けて使用する。
【産業上利用可能性】
【００１３】現在、この種の優勝旗は、全国の各種学校、会社及び団体に複数以上存在し、使用されており、すべてに取り付ける場合、相当な数となり、企業の商品として十分成立する。更に現在の安全管理、事故防止の関心の高まりにこたえるものである。
【図面の簡単な説明】
【００１４】
【図１】三角錘の一辺に正対して見た立面図
【図２】図１のＡ−Ａ線断面図
【図３】図１に正対して左側から見た側面図
【図４】図１に正対して右側から見た側面図
【図５】優勝旗の先端部分を示す斜視図
【符号の説明】
【００１５】１．被防護体である三面鉾剣
２．安全防護覆い
３．安全防護覆いを三面鉾剣の下部中心軸に結着するためのひもを通す穴
【図１】
0003114753.tif 000003
【図２】
0003114753.tif 000004
【図３】
0003114753.tif 000005
【図４】
0003114753.tif 000006
【図５】
0003114753.tif 000007
【手続補正書】
【提出日】平成17年6月10日(2005.6.10)
【手続補正１】
【補正対象書類名】実用新案登録請求の範囲
【補正対象項目名】全文
【補正方法】変更
【補正の内容】
【実用新案登録請求の範囲】
【請求項１】
弾力と強度のある無色透明な合成樹脂により、先が円形である円筒形に成形されて、その内部は三面鉾剣に密着する穴と下部にひもを通す穴が設けてある、優勝旗の先端部分に取り付けて使用する安全防護覆い。
【手続補正３】
【補正対象書類名】明細書
【補正対象項目名】０００７
【補正方法】変更
【補正の内容】
【０００７】  弾力と強度のある無色透明な合成樹脂により、先が円形である円筒形に成形されて、その内部は三面鉾剣に密着する穴と下部にひもを通す穴が設けてある安全防護覆いを優勝旗の先端部分に取り付けて使用する。
【手続補正４】
【補正対象書類名】明細書
【補正対象項目名】０００９
【補正方法】変更
【補正の内容】
【０００９】  この安全防護覆いは、人の顔や頭に当たる接触面を広くし、衝撃を軟らかくするため、先の部分及び円筒部分がすべて円形であることが必要である。
【手続補正書】
【提出日】平成17年6月20日(2005.6.20)
【手続補正１】
【補正対象書類名】実用新案登録請求の範囲
【補正対象項目名】全文
【補正方法】変更
【補正の内容】
【実用新案登録請求の範囲】
【請求項１】
弾力と強度のある無色透明な合成樹脂により、先が円形である円筒形に成形されて、その内部は三面鉾剣に密着する穴と下部にひもを通す穴が設けてある、優勝旗の先端部分に取り付けて使用する安全防護覆い。
【手続補正３】
【補正対象書類名】明細書
【補正対象項目名】０００７
【補正方法】変更
【補正の内容】
【０００７】  弾力と強度のある無色透明な合成樹脂により、先が円形である円筒形に成形されて、その内部は三面鉾剣に密着する穴と下部にひもを通す穴が設けてある安全防護覆いを優勝旗の先端部分に取り付けて使用する。
【手続補正４】
【補正対象書類名】明細書
【補正対象項目名】０００９
【補正方法】変更
【補正の内容】
【０００９】  この安全防護覆いは、人の顔や頭に当たる接触面を広くし、衝撃を軟らかくするため、先の部分及び円筒部分がすべて円形であることが必要である。
(57)【要約】【課題】本考案はレーザープリンター及び複写機に用いられる感光体ドラムの耐久性を課題にした考案である。【解決手段】電気化学反応のメッキ原理を用いた機械を通した水をかけることにより高純度石英ガラス系皮膜を形成することで硬度を増し耐久性を高め、感光体ドラムの表面保護膜の強度を高め、ライフを伸ばすことにより再利用等を目的とした考案である。【選択図】図１
0003114755.tif 000002
【実用新案登録請求の範囲】
【請求項１】
レーザープリンター、複写機、複合機等印刷機に使用される感光体ドラムへ石英ガラスコーティング処理を行うことで耐久性を持たせるところを特徴とする。
【考案の詳細な説明】
【考案の詳細な説明】
【技術分野】
【０００１】本考案は消耗及び摩耗部品である感光体ドラムへの石英ガラスコーティング処理を施し保護膜強度を上げることによって耐久性をもたらすものである。
【背景技術】
【０００２】印刷機により標準対応印刷枚数等が定められているが標準対応枚数を超えて印刷が可能となる場合がある。
使用状況などにより摩耗度合い変化する感光体ドラムが摩耗劣化し使用できなくなることがあるが印刷機自体は可動可能なため、印字不良となる場合がある。
尚、感光体ドラムが組み込まれたカートリッジをリサイクルし再使用する場合があるが、感光体ドラムは摩耗劣化のため使用できない場合がある。
【考案が解決しようとする課題】
【０００３】前途の内容により印刷機が可動しても印字不良等で正常に印刷されない場合ファックス等の重要書類等で再発行が不可能となってしまう場合を想定し感光体ドラムの保護膜の強度を上げることによって問題を回避することを目的とする。
又、リサイクルにおいても一度利用された感光体ドラムへの施しや新品部品への施しによって利用回数を上げることにより廃棄頻度を下げ、環境への影響も減らす。
【課題を解決するための手段】
【０００４】本考案は消耗摩耗部品である感光体ドラムに対し石英ガラスコーティング処理を施すことにより表面の強度を増し、摩耗耐久性を高めることにより長期使用を可能とする。
電気化学反応のメッキ原理で機械に通された水を感光体ドラムにかけることにより水と対象表面が接触すると同時に高純度石英ガラス系皮膜が形成され強度が増す。
無機質皮膜のため感光体の役割を害することなく表面強度を増すことが可能となる。
【考案実施の形態】
【０００５】感光体ドラムに電気化学反応のメッキ原理を用いた機械を通した水を直接かけることにより高純度石英ガラス系皮膜を形成する。
【実用例】
【０００６】以下、添付図面に従って一実施例を説明する。
まず感光体ドラムとは円柱形の素管（アルミ）半導体を塗布しその上に保護素材にて覆ったものである。
その感光体ドラム機種に合わせギヤ部品を組んだものが図である。
▲１▼の感光体部に▲２▼の位置まで電気化学反応のメッキ原理を用いた機械を通した水をかける。
【０００７】感光体ドラムはレーザープリンター、複写機等に用いられており回転しながら印刷していく部品であり、ゴムの部品との摩擦が発生するもののため本考案の一実施例は前途の方法によりコーティング処理を施し、摩擦から保護することを目的とする。
【０００８】本考案の一実例は前途の如き構成からなるもので感光体ドラムの表面に高純度石英ガラス系皮膜を形成し摩擦に対する保護を強化することが目的である。
【考案の効果】
【０００９】感光体ドラムは摩耗により表面の保護膜が減っていき感光体まで摩耗が到達すると印字不良となる。
本考案は耐久性を高めその摩耗を抑えることにより再利用等のサイクルを高めることの効果を得る。
【図面の簡単な説明】
【図１】本考案の電気化学反応のメッキ原理を用いた機械を通した水をかけることにより高純度石英ガラス系皮膜を形成するための感光体ドラムの全体図である。
【符号の説明】
▲１▼感光体部分
▲２▼施工範囲
【図１】
0003114755.tif 000003
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
レーザープリンター、複写機、複合機等印刷機に使用される感光体ドラムにおいて、石英ガラスコーティング処理を行なうことで耐久性を持たせたことを特徴とする感光体ドラム。
(57)【要約】      （修正有）【課題】使用途中や再充填されたインクジェットカートリッジのインクの固着、目詰まり、漏れ等を発生させる外気とインクの接触するインク出口に蓋をし保管できるようにする。【解決手段】使用途中、又は再充填されたインクジェットカートリッジの保管を可能とするためにインクジェットカートリッジの凹凸部分にフックをかけインク出口を密閉できるようにした蓋である。【選択図】図１
0003114756.tif 000002
【実用新案登録請求の範囲】
【請求項１】
一度使用されたインクジェットカートリッジを途中で取り出した時や詰め替え時、再生時にインクが乾燥しないよう、又インクが漏れ出さないよう蓋をするためのキャップ。
【考案の詳細な説明】
【技術分野】
【０００１】本考案は使用途中またはインク再充填時のインクジェットカートリッジの保管をするためのインクジェットカートリッジ保存用キャップに関するものである。
【背景技術】
【０００２】新品では開封後にキャップを取り外すと再取り付け出来ない構造になっており、プリンター本体にセットした後は使い切ることを前提としたつくりになっている。
そのため使用途中にカートリッジを取り出すと長期保管が出来ず、インクが外気にさらさせるためにインクが固まり再度使用できなくなったりと障害が発生する。
【考案が解決しようとする課題】
【０００３】前途の内容により使用途中で取り外しても保管できるよう蓋をすることが課題となるため、蓋としての役割を持てる構造が必要となる。
また、インクの再充填時にも保管するための蓋が必要となる。
【課題を解決するための手段】
【０００４】本考案はインクジェットカートリッジの凹凸部分を利用し蓋型形成品にフックを儲け、インク出口に蓋が出来なくてはならない。
又、インク自体は液体のため蓋部品にパッキンの役割を持つものを取り付けインクが漏れないように、又はインクが乾燥しないために空気が入らない構造にならなくてはならない。
【考案実施の形態】
【０００５】インクジェットカートリッジのインク出口部分を塞ぐ形態になっており凹凸部分に引っかかるようにフックが設けてある。
インク出口部分には液体が通らないようにゴムパッキンの役割としてインク出口に平らに当たるよう取り付けられている。
【実用例】
【０００６】以下、添付図面に従って一実例を説明する。
まず全体はプラスチック形成▲１▼であり、インク出口部分にパッキンが平らに当たる様、平面▲２▼になっている。
【０００７】▲３▼から▲４▼の凹凸部分に本体が引っかかりインク出口を塞げるよう▲４▼の部分はフックになっている。
▲５▼は本考案を取り付けるインクジェットカートリッジの一実例である。
▲６▼は取り付け取り外し時に利用する摘み部分である。
【０００８】本考案の一実例は前途の如き構成からなるものであるからインク漏れを塞ぐとともに外気にインクが触れないようにするためのものである。
【考案の効果】
【０００９】前途のように本考案は使用途中のインクジェットカートリッジを保管することは勿論、再充填されたインクジェットカートリッジのキャップとしても役立つ。
【図面の簡単な説明】
【図１】本考案のインクジェットカートリッジ保存用キャップを取り付けたインクジェットカートリッジの一実例の横面図である。
【図２】本考案のインクジェットカートリッジ保存用キャップの一実例を示す横面図である。
【符号の説明】
▲１▼本考案本体
▲２▼本考案下部、パッキン装着部分
▲３▼パッキンを有効にする支点１（凹凸部分）
▲４▼パッキンを有効にする支点２（凹凸部分）
▲５▼本考案を装着するインクカートリッジ本体横面図
▲６▼取り付け取り外しに利用する摘み部分
【図１】
0003114756.tif 000003
【図２】
0003114756.tif 000004
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
インクジェットカートリッジ保存用キャップにおいて、インクジェットカートリッジ保存用キャップにフックを設けることにより、インクジェットカートリッジの凹凸部分を利用し、インク出口に蓋をすることを特徴としたインクジェットカートリッジ保存用キャップ。
(57)【要約】      （修正有）【課題】人の手の指に照射機能を持った指輪型ミニライトを装着し紙幣の透かし部を照射し瞬時に紙幣の透かしの偽造等の不正を発見し犯罪を防止する。【解決手段】指輪型リング５にスイッチ３と上の台座電池ケースに電池１を収納しケース外側に発光用ミニライト２、抵抗体を取り付けた指輪型ミニライトで紙幣の透かし部を瞬時に照射し、透かし図柄確認が容易にできるようにし、紙幣の偽造などの不正を発見し、これが犯罪防止に役立つ。【選択図】図２
0003114752.tif 000002
【実用新案登録請求の範囲】
【請求項１】
人の手の指に装着し紙幣の透かし部分を下から照射し図柄を見やすくするための発光機能を持った指輪型ミニライト。
【請求項２】
指輪型リングにスイッチ、リング上の台座に電池を収納した電池ケース、ケース外部に発光体用ミニライト、抵抗体を組み入れ、それを人の手に装着する、手の指と指の間でスイッチを入力すると発光し紙幣の透かし部を下から照射し、図柄を確認しやすくした指輪型ミニライト。
【考案の詳細な説明】
【技術分野】
【０００１】  本考案は紙幣の受け渡しの際に紙幣の透かし図柄を人間の手で受け取った際に手の上で紙幣の裏側から光をあて確認するための指輪型ミニライトに関するものである。
【背景技術】
【０００２】  複写技術や印刷技術の一般化や高度化に伴い犯罪につながる不正技術も巧妙化しており、不正技術で製作された紙幣を相手に渡す際に不正を免れる目的で暗い環境での受け渡す手段をとり、しかも紙幣を比較させない等の目的で複数の紙幣を渡さず単数の紙幣を相手側に渡す行為が多い、紙幣の受け渡しの際に、紙幣を受け取る側も受け取った紙幣を手に取って上に向いてかざす所作には抵抗感がありなかなか実行出来ない。しかし紙幣を受け取った自然の動作の中で不正技術の発見は困難であった。
【考案の開示】
【考案が解決しようとする課題】
【０００３】  受け取った紙幣の透かし部分を上から確認し不正の発見をするのは非常に難しく、又詳細に確認するために受け取った側が紙幣を別の方法で確認するには時間がかかり渡す側との信頼関係を損ないかねない状況であり、透かし部の確認が速やかに行われることが必要であった。受け取った自然の動作の中で受け取る側の手の指に指輪型ミニライトを装着することで、その困難な部分を解決しようとするものである
【課題を解決するための手段】
【０００４】  本考案は指輪型リングの上台座にスイッチ、発光部、電源部等を装填し照射機能を持たせた指輪型ミニライトを手の指に装着し、紙幣を受け取ったと同時にスイッチを入れるとライトが発光し透かし部図柄を紙幣裏側から照射することで速やかに透かし図柄が確認できる為これまでの困難な問題を解決している。
【考案の効果】
【０００５】  指輪型リング上の台座にスイッチ、発光部、電源部、を装填し手の指に簡単に装着できる、紙幣を受け取り手にする際に透かし図柄の確認が自然の動作の中で瞬時に出来るため、金銭授受の際の紙幣を渡す側と受け取る側双方の信頼関係を損なうことはない、紙幣偽造等の不正の発見にもつながり犯罪防止になる。
【考案を実施するための最良の形態】
【０００６】  指輪型リング上の台座に小型スイッチ、発光部にはＬＥＤ等の超小型のものを使用、又電源部には薄型のコイン型電池をケースに収納しケース全体にデザインをすることで発光機能を有する指輪としても利用可能にし、しかも全体がコンパクトな指輪型になっているため手に装着しやすい。
【実施例】
【０００７】  以下添付図面に従って実施例を説明する、図で示すように指輪の上台座は電池ケースとして薄型コイン型電池を収納し、ケース外側に発光体及び抵抗を取り付けケース全体を角度を変えることが出来るように変更軸を設けてあるため、光の方向を自在に変更することが出来る、スイッチは指と指の間で入力出来るように指輪リングの周囲に配置してあるため紙幣を手にした時、瞬時に紙幣透かし図柄の確認が出来る。【０００８】  電池ケースを多種類のデザインをした指輪の上台座として使用し、指輪リングにスイッチがリング状に配置してあるため指輪型ミニライトとして利用出来る、その他の目的に照明付き指輪としても利用可能である。
【産業上の利用可能性】
【０００９】  複写技術の一般化や高度化に伴い犯罪につながる不正技術も巧妙化しており、金銭の受け渡しは人と人と信頼関係を深める大事な行為である、本考案の金銭の受け渡しの際の指輪型ミニライト使用は指と指の間で瞬時に行われる為相手に疑心を抱かせる心配もなく紙幣を受け取る自然の行為として印象ずける、しかもその際犯罪を防止する効果があれば産業上安心した取引が出来る。
【図面の簡単な説明】
【００１０】
【図１】  本実施例の平面図である
【図２】  本実施例のＢＢ断面図である
【図３】  本実施例の側面図である
【図４】  本実施例のＡ部自在変更軸受け部詳細図である
【図５】  本実施例の回路図である
【図６】  本実施例の使用例図である
【符号の説明】
【００１１】１  コイン型リチューム電池１，２
２  発光ダイオード
３  スイッチ
４  抵抗
５  指輪型リング本体
６  スイッチ固定リング
【図１】
0003114752.tif 000003
【図２】
0003114752.tif 000004
【図３】
0003114752.tif 000005
【図４】
0003114752.tif 000006
【図５】
0003114752.tif 000007
【図６】
0003114752.tif 000008
【手続補正書】
【提出日】平成17年5月13日(2005.5.13)
【手続補正１】
【補正対象書類名】実用新案登録請求の範囲
【補正対象項目名】全文
【補正方法】変更
【補正の内容】
【実用新案登録請求の範囲】
【請求項１】
指輪型リングにスイッチと電池を収納した電池ケースを取り付け、同ケースに前記スイッチでＯＮ、ＯＦＦする発光ダイオードを組み入れた指輪型ミニライト。
【手続補正２】
【補正対象書類名】明細書
【補正対象項目名】０００７
【補正方法】変更
【補正の内容】
【０００７】以下添付図面に従って実施例を説明する、図２で示すように指輪５に電池ケースとして薄型コイン型電池１を収納し、電池ケース外側に発光ダイオード２及び抵抗４（又は抵抗代替部品としてＣＲＤ定電流ダイオード）を取り付け電池ケース全体を角度を変えることが出来るように変更軸Ａを設けてあるため、光の方向を自在に変更することが出来る、スイッチ３は指と指の間で作動出来るように指輪リングの周囲に配置してあるため紙幣を手にした時、瞬時に紙幣透かし図柄の確認が出来る。
【手続補正３】
【補正対象書類名】明細書
【補正対象項目名】０００８
【補正方法】変更
【補正の内容】
【０００８】電池ケース上蓋を多種類のデザイン図柄パターンと入れ替えをし指輪の個性化を可能とする。
【手続補正４】
【補正対象書類名】明細書
【補正対象項目名】００１１
【補正方法】変更
【補正の内容】
【００１１】１コイン型リチューム電池
２  発光ダイオード
３  スイッチ
４抵抗（又は抵抗代替部品としてＣＲＤ定電流ダイオード）
５指輪型リング
６常時スイッチオン用固定輪
【手続補正書】
【提出日】平成17年7月18日(2005.7.18)
【手続補正１】
【補正対象書類名】手続補正書
【補正対象項目名】手続補正５
【補正方法】削除
【補正の内容】
(57)【要約】      （修正有）【課題】  触ると痛む腫れ物等の処置は現在その多くの人達がガーゼ＋絆創膏で処置されてきた。その人達は毎日、服に触れたり夜は寝返りすると布団にさわる等の痛みで生活に支障をきたしている。保護カバーを接着させる事によって、動きが自由になり、生活が快適に過ごせるようにする。【解決手段】痛みが特にひどいといわれる帯状疱疹等にもその患部の場所によっては使用できる。また、皮膚表面に近い癌が皮膚面に腫れて出て来る時のカバーにも適する。そのほか、術後、表面上は治っているかに思える傷跡が服等が触れる時に痛む時にも適する。別途に短時間のみ使用可と記して、ドーム状の部分を防水にする事によって風呂等の利用時にも使用するものとする。【選択図】図２
0003114771.tif 000002
【実用新案登録請求の範囲】
【請求項１】
服が触れるだけで痛む腫れ物、又は術後、傷の表面上は治っているのにかかわらず、触れると痛む傷や場所によっては帯状疱疹等にも、それらを服やその動きでこすりあって痛むものの保護カバー。
形はドーム型とし、痛む皮膚面と服との間に空間を作り、ドーム型の素材は現在は「防塵マスク」等として市販されている素材でドーム型を作る事により、通気性と埃等が入らぬようにし、皮膚面の接着素材には現在、医療用として「中心静脈」等で固定用に使用されている接着フィルムを使用する事で通気性・防水性に優れて、肌が弱い人でも長時間使用できる保護カバー。
【考案の詳細な説明】
【技術分野】
【０００１】  本案は、服が触れたり、その身体の動きで痛む傷・または腫れ物のような症状の場合の処置として、現在は、ガーゼ＋絆創膏のみの傷の手当てと同じ処置であるため、そのような症状を抱えている患者達は、日々が痛みの苦しみの毎日である。本案はそれを保護するカバーとして考え、また日常の動きにも対応できるように肌面に直接固定する形にする。この保護カバーは衛生面を考え、使い捨てとし、毎日交換することとする。
【背景技術】
【０００２】  形状は肌に直接触らぬようにドーム型とする。
ドーム内は通気性、埃等が入らぬように、現在防塵マスク等に使用されている素材を使い、これを身体に直接接着させるようにする。その為、日常の動きが自由に対応できるようになる。接着面については、長時間にわたって肌に接着する事となるので、その素材は現在、医療機関で中心静脈などのカテーテル固定用等に使用されている医療用フィルムを使用し固定する。これの利点は透湿性・通気性にすぐれ、水蒸気や酸素の透過を妨げず、皮膚刺激が少ない為、肌が弱い人にも対応できる。接着面とドーム部分とのつながりの部分については直接ドーム部分の先端が肌にあたらぬようにドーム部分の先端はなめらかな曲線を描き肌への刺激を防ぐ。（断面図参照  図２）
【考案の開示】
【考案が解決しようとする課題】
【０００３】  以上のように現在までの処置の仕方ではガーゼ＋絆創膏の処置のみで、このような保護カバーが医療用として無い事自体が問題であったのではないかと思われる。
【課題を解決するための手段】
【０００４】  保護カバーを直接身体に貼る事により、ずれる事なく、日常の動きにも対応し、服などが触れる事がなくなる。また、その素材の性質上、肌が弱い人にも対応できる。
【考案の効果】
【０００５】  上記のような痛みを伴う日常を生活している患者達にとっては毎日が痛みとの闘いであり、ガーゼ＋絆創膏の上から自分の手で服などが当たらぬようにカバーして生活していた人達が、触らなければ痛まず、動きもある程度自由な生活が出来る事となる。
【図面の簡単な説明】
【０００６】
【図１】  貼り付けた状態を上から見た図
【図２】  肌面接着部分の断面図
【符号の説明】
【０００７】  １    ドーム部分（防塵マスクの素材。風呂用は防水にする）
２    医療用の接着フィルム
３    台紙（使用時にはがす）
４    皮膚面
【図１】
0003114771.tif 000003
【図２】
0003114771.tif 000004
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
形はドーム型とし、痛む皮膚面と服との間に空間を作り、ドーム型の素材は「防塵マスク」等として使用されている素材で作る事により、通気性と埃等が入らぬようにし、皮膚面の接着素材には、医療用として「中心静脈」等で固定用によく使用されている接着フィルムを使用する事で通気性・防水性に優れて、肌が弱い人でも長時間使用でき、衣服接触等の外圧による痛みから護る保護カバー。
(57)【要約】【課題】詰め替え用容器から詰め替え先の容器に内容物を移して充填した詰め替え後においても、容易にその内容物の名称や履歴を特定出来る詰め替え用容器を提供することを目的とする。【解決手段】詰め替え用容器の一部にその内容物を明示したタグを切り取り可能に形成し、内容物を詰め替える際にタグを切り取り、タグの係止孔に詰め替え先の容器のネック部分を通す様にしてタグを詰め替え先の容器に装着する。【選択図】図１
0003114779.tif 000002
【実用新案登録請求の範囲】
【請求項１】
その一部に内容物の名称や履歴を明示したタグを切り取り可能に形成し、そのタグには詰め替え先の容器のネック部分に係止出来る様に孔または切り欠き付き孔を設けた事を特徴とする詰め替え用容器。
【請求項２】
詰め替え用容器はプラスチックシートを周縁でシールすることにより構成されており、そのシール部にタグを形成した事を特徴とする請求項１記載の詰め替え用容器
【考案の詳細な説明】
【技術分野】
【０００１】本考案は、シャンプーや洗剤等の詰め替え用の内容物が収容される詰め替え用容器に関する。
【背景技術】
【０００２】シャンプーや洗剤等は、その内容物を取り出し易くするためにポンプ付き容器やスプレイ付き容器に入れて販売される場合がある。また、その場合、ポンプやスプレイ等の機能付き容器とは別に、詰め替え用の簡易な容器に入れたものが販売され、内容物を詰め替えることによりポンプやスプレイ等の機能付き容器は繰り返し使用される。
【考案の開示】
【考案が解決しようとする課題】
【０００３】この様に内容物を詰め替えた場合、内容物の名称や履歴は詰め替え先の容器に残らず不明となる。本考案では、詰め替え後においても容易にその内容物の名称や履歴を特定出来る詰め替え用容器を提供することを目的とする。
【課題を解決するための手段】
【０００４】その手段として、本考案においては詰め替え用容器の一部にその内容物の名称や履歴を明示したタグを切り取り可能に形成し、そのタグには詰め替え先の容器のネック部分に係止出来る様に孔または切り欠き付き孔を設ける。【０００５】この様に構成した詰め替え用容器から詰め替え先の容器に内容物を移して充填した際にこのタグを切り取り、タグの係止孔に詰め替え先の容器のネック部分を通す様にしてタグを詰め替え先の容器に装着する。
【考案の効果】
【０００６】この様にすれば、内容物と共にその名称や履歴を明示したタグも詰め替え先の容器に移転されるので、内容物の素性が不明になることはない。
【考案を実施するための最良の形態】
【０００７】本考案の実施形態を図によって説明する。図１はプラスチックシートを周縁でシールすることにより構成された詰め替え用容器に本考案を実施した場合の正面図である。容器上部の抽出口３の横に幅広のシール部２を設け、この部分に、切り取るとタグになる様に切り取り線４を設ける。タグ部分５には、図２に示す詰め替え先の容器７のネック部分９に見合った大きさの係止孔６が設けられると共にその表面もしくは両面に内容物の名称や履歴が表示されている。
【実施例】
【０００８】プラスチックシートを周縁でシールする構造の詰め替え用容器の場合、幅広のシール部が設け易く、また材質も柔軟でタグ８を構成するに適している。【０００９】前述の様に構成すると、詰め替え用容器の一部を切り取ることによって、その内容物の名称や履歴を表示したタグ８が容易に得られる。詰め替え用容器から詰め替え先の容器に内容物を移して充填した際にこのタグを切り取り、図２に示す様にタグ８の係止孔６に詰め替え先の容器のネック部分９を通す様にしてタグ８を詰め替え先の容器に装着する。【００１０】この様にすれば、内容物と共にその名称や履歴を明示したタグ８も詰め替え先の容器に移転されるので、内容物の素性が不明になることはない。また、製造にあたっては詰め替え用容器の一部にタグが形成されるため、従来の詰め替え用容器と同じ加工行程で製造でき簡単である。
【他の実施形態】
【００１１】図１の実施形態では、タグ８に設ける係止孔６の形状は図３に示す様な円形であったが、他の実施形態ではネック部分９の大小に柔軟に対応するために図４の様にギザギザを付けた円形、または取り付け易くするために図５の様に一部を切り欠いた円形でも良い。
【図面の簡単な説明】
【図１】本考案の一実施形態であるところの詰め替え用容器を示す正面図。
【図２】詰め替え先の容器を示す斜視図。
【図３】本考案の一実施形態であるところのタグを示す正面図
【図４】本考案の一実施形態であるところのタグを示す正面図
【図５】本考案の一実施形態であるところのタグを示す正面図
【符号の説明】
１…詰め替え用容器
２…シール部分
３…注出口
４…切り取り線
５…タグ部分
６…係止孔
７…詰め替え先の容器
８…タグ
９…ネック部分
【図１】
0003114779.tif 000003
【図２】
0003114779.tif 000004
【図３】
0003114779.tif 000005
【図４】
0003114779.tif 000006
【図５】
0003114779.tif 000007
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
プラスチックシートを周縁でシールすることにより構成される容器において、そのシール部分に、内容物の名称や履歴を明示したタグを切り取り可能に形成した事を特徴とする詰め替え用容器。
【請求項２】
タグには、詰め替え先の容器のネック部分を通してタグを係止する孔または切り欠き付き孔を設けた事を特徴とする請求項１記載の詰め替え用容器。
(57)【要約】      （修正有）【課題】焼肉料理等に不可欠の食器である取り皿、たれ皿、薬味皿等を、従来各々の皿を使用していた不便を解消する為に、１枚の皿に一体化して設け、それら相互に連動する運用の便利、潜在する諸欠陥を解消軽減しようとする。【解決手段】円形、適宜形状の皿の１区画に、台形状平面部を設け、取り皿として使用する。これに接する他の区画に凹み部を設けて、たれ皿、薬味皿として用いる。取り皿とたれ皿等は相互に関連する用途を持つので、その利用動線を最短にする。【選択図】図１
0003114778.tif 000002
【実用新案登録請求の範囲】
【請求項１】
円形、その他形状の１枚の皿の１区画に台形状平面部を設けて、焼き上がった焼肉等を焦げ過ぎない様に取り上げたり、胡椒などの調味料を振りかけたりするスペースの取り皿として。取り皿に接する他の区画に、凹み部分を適宜設けて、タレ皿、薬味皿等として用いる。幾つもの用途を同時に果し得る様に一体化した形状にする事を特徴とする。焼肉等の取り皿付きたれ皿。
【考案の詳細な説明】
【技術分野】
【０００１】  本考案は１枚の皿の１区画に、台型状平面部を設けて、焼肉等の取り皿として使用し、これに接する区画に凹み部分を設けてたれ皿、薬味皿等に用いる。焼肉等の取り皿付きたれ皿に関するものである。
【背景技術】
【０００２】  焼肉料理は典型的な素材型料理で、焼肉店等においては、生肉を皿盛りにして客膳に供し、客は自分で焼いて、用意されているたれや薬味を自らの好みで選んで、これをつけて食する料理である。
このほか、焼肉の調味方法として、盛付けする前の生肉を、たれに漬け込んだり、もみ込んだりする方法があるが、生肉の性質上、塩分が強過ぎると肉が固くなる。糖分が強すぎると焼くとき焦げ易く、焦げた肉は味が悪くなる。焼き網が焦げすぎると焼肉等が汚れてしまう。濃い色のたれを使用すると折角上質の見事な霜降肉も、新鮮な肉も、台無しになる等の欠陥があるため、焼肉のたれの本命は焼上った肉につけて食べる、つけだれが本流になっている。
焼肉専門店等は、特に差別化を意識され、何種類ものたれや薬味を準備し、それに対応する為、何枚もの小皿を、客の人数分用意されているのが実情であります。
この様に多数の小皿を用意すれば、食卓のスペースを広く占有され、多くの皿を使用すれば作業動線が複雑不便であるばかりでなく、枚数が多いと必然的に発生する、後片付け、洗浄作業、収納スペース等の過重負担を強いられている。
【考案の開示】
【考案が解決しようとする課題】
【０００３】  美味しい焼き肉を焼く基本は、とろ火で焦さず赤みがほんのり残る位に焼く事である。しかし焼上がった肉を焼き床に放置すると、焼け焦げてしまうので、これらを取り上げる大切な役目をする取り皿が必要である。
焼肉料理の主たる調味料は、たれや、薬味類であるが、近時たれや薬味が多種多様化されているので焼肉店などでは、これに対応するため、小皿を数多く使用されている背景技術に記述している諸問題の欠陥を排除軽減しようとするものである。
【課題を解決するための手段】
【０００４】  焼肉料理に欠かせない取り皿と、たれ皿等は、共に関連し合いながら使用する食器である。
本考案ではその形状を１枚の皿の１区画に台型状平面部を設けて、焼上げた肉の取り皿とする。それに接する他の区画に凹み部分を適宜数設けて、たれ皿や薬味皿等として用いられる一体化形状にして、相関・関連する作業の円滑を図り、背景技術に潜在する問題を排除しようとする。
【考案の効果】
【０００５】  美味しい焼肉を焼くには、とろ火で焦さず焼く事と、焼けた肉を焦げないうちに取り皿に移すことが肝要である。
取り皿の用途はそればかりでなく、付け過ぎたたれ等をはたいたり、塩・胡椒等を振りかけたりして味の最終調整を行なうスペースでもある。即ち焼肉食事には、取り皿とたれ皿・薬味皿は相関不可分のものであるが、焼肉店でも取り皿の認識が案外薄く、必ずしも準備されてないところもある。
本考案のたれ皿、薬味皿と一体になった取り皿は否応なく取り皿が食膳にセットされる。このことが焼肉食事に果す取り皿の重要性を再認識して頂く警鐘となり、定着され、業界発展に貢献出来るのではないかと秘かに効果を期待している。
焼肉料理の食卓で、取り皿、たれ皿、薬味皿は、それぞれの用途で相互に関連しており不可分である。
何枚もの皿をそれぞれの用途に使用する従来の方法は食卓のスペースを広く占有すること。それぞれの皿をそれぞれの用途に使用する作業動線は複雑となり、使用不便や、たれの垂れこぼし等をおこし易いばかりでなく、皿数に比例して起る、後片付け、食器洗浄、食器収納スペース等のコスト負担、不利等幾多の問題がある。
本考案は相互関連不可分である、取り皿・たれ皿等を一体化形状にして、従来の方法による欠陥、問題点を解消・軽減しようとする。
【考案の実施するための最良の形態】
【０００６】  円形、その他形状の皿の１区画に台型状平面部を設けて取り皿とし、取り皿と接する他の区画に凹みを適宜数設けて、取り皿・たれ皿・薬味皿を一体化し、従来それぞれの目的別に、それぞれの皿を使用する時の諸問題を機能性コストダウンで解決出来る。
焼肉店等では、お客様が着席されたら、先ずたれ等とたれ皿がテーブルにセットされてから、料理の注文を受けるのが行程の順序である。
本考案の運用に於ても、セットからの順序は同様である。デーブルセットから料理が配膳される迄の待ち時間は、何にもない食卓に本考案の皿が置かれたままの状態が続き、お客様からひときわ注目され、お店の風格やセンスを計られるであろう事を鑑みて、焼肉料理食器の花形となれるスマートなデザインにする事も重要な形態である。
【実施例】
【０００７】  添付する図面は、適宜素材で形成された本考案の、焼肉等の取り皿付たれ皿である。
家庭でも、焼肉店等は勿論、使用するたれ、薬味の種類や数も各々相違するので、本図面はその実施例の標準的なものであり、本考案は本図面に限定するものでなく、たれ皿、薬味皿は適宜数である。
【図面の簡単な説明】
【０００８】
【図１】本考案の焼肉等の取り皿付たれ皿の立体図である。
【図２】本考案の焼肉等の取り皿付たれ皿の平面図である。
【図３】本考案の焼肉等の取り皿付たれ皿の断面図である。
【符号の説明】
【０００９】    １  台型状平面部の取り皿。
２  凹み部の主たれ皿。
３  凹み部のたれ皿又は薬味皿。
４  凹み部のたれ皿又は薬味皿。
【図１】
0003114778.tif 000003
【図２】
0003114778.tif 000004
【図３】
0003114778.tif 000005
【手続補正書】
【提出日】平成17年6月29日(2005.6.29)
【手続補正１】
【補正対象書類名】実用新案登録請求の範囲
【補正対象項目名】全文
【補正方法】変更
【補正の内容】
【実用新案登録請求の範囲】
【請求項１】
円形、その他形状の１枚の皿の１区画に台形状平面部を設けて、焼き上がった焼肉等を焦げ過ぎない様に取り上げたり、胡椒などの調味料を振りかけたりするスペースを取り皿として、取り皿に接する他の区画に凹み部分を適宜設けて、タレ皿、薬味皿等として使用し、幾つもの用途を同時に果し得る様に一体化した形状にする事を特徴とする焼肉等の取り皿付きたれ皿。
(57)【要約】      （修正有）【課題】プラスチック射出成形工場において、プラスチック自動取り出し機にて金型より製品を取り出して製品を整列させる際の作業員の作業効率を改善する。【解決手段】プラスチック自動取り出し機にて製品を整列させる正回転コンベアと、ランナー部を粉砕するランナー部粉砕機をプラスチック自動取り出し機の横走行フレームと直角に同一線上にもって行き取り出した製品は正回転コンベアに整列しランナー部は正回転コンベアに延長、取付した逆回転コンベア上にて開放、後工程は逆回転コンベアにてランナー粉砕機まで誘導し、粉砕する。【選択図】図２
0003114777.tif 000002
【実用新案登録請求の範囲】
【請求項１】
プラスチック射出成形品、製品及びランナー部混合防止用正回転コンベア、逆回転コンベア１対式コンベア機はコンベア本体に正回転するコンベアと逆回転するコンベアを組み込んだコンベア機。
【考案の詳細な説明】
【考案の詳細な説明】
【産業上の利用分野】
【０００１】本プラスチック射出成形品、製品及びランナー部混合防止用正回転コンベア、逆回転コンベア１対式コンベア機はプラスチック射出成形分野に利用される。
【背景技術】
【０００２】従来、プラスチック射出成形機の金型より取り出された製品及びランナー部はプラスチック用横走行型自動取り出し機において製品は正回転コンベアに整列させ、ランナー部はランナー粉砕機上にてランナー部を開放、粉砕していた為、正回転コンベアを置く場所、ランナー粉砕機を置く場所が必要であった、その機器に場所を取られていたため作業範囲の減少、作業効率の悪化につながっていた。
【考案が解決しようとする手段】
【０００３】プラスチック射出成形機、近辺には製品を整列させる正回転コンベアやランナー部を粉砕させる為のランナー粉砕機等多種にわたる周辺機器が置かれている。本機は正回転コンベアとランナー部粉砕機を同一線上に置く為に、周辺機器の置き場を縮小、作業場所の拡大及び作業範囲の有効利用できる。
【課題を解決するための手段】
【０００４】プラスチック用横走行型自動取り出し機。横走行フレームの製品開放位置及びランナー部開放位置を同一場所にできるため横走行フレームに対して直角に同一線上に置くようにし、正回転コンベアに逆回転コンベアを延長取付しランナー部を逆回転コンベア上で開放しランナー粉砕機に、誘導する。
【作用】
【０００５】本考案を使用することによりプラスチック射出成形機周辺の作業場所を広く使える。またプラスチック用自動取り出し機においても本考案を横走行フレームと直角に置くことにより製品及びランナー部を同時に開放することができプラスチック自動取り出し機のサイクルアップ、また横走行上においても途中停止がなくなるため故障箇所の減少につながる。また途中停止がなくなるため加減速が減り消費電力の削減につながる。
【実施例】
【０００６】以下本考案の実施例を説明する。本考案はプラスチック射出成形工場において、射出成形機の周辺を広く使えるようにし、作業場所の確保、作業効率の向上を確保できる。
【考案の効果】
【０００７】本機をプラスチック射出成形工場に使用することにより工場内部作業場所の拡大、拡大することにより作業効率の向上が見込まれる。また関連するプラスチック用自動取り出し機のサイクルアップ及び故障箇所削減が見込まれる。また関連する射出成形機のサイクルアップも見込まれる。
0003114777.tif 000003
0003114777.tif 000004
【手続補正書】
【提出日】平成17年7月16日(2005.7.16)
【手続補正１】
【補正対象書類名】明細書
【補正対象項目名】全文
【補正方法】変更
【補正の内容】
【考案の詳細な説明】
【考案の詳細な説明】
【産業上の利用分野】
【０００１】本プラスチック射出成形品、製品及びランナー部混合防止用正回転コンベア、逆回転コンベア１対式コンベア機はプラスチック射出成形分野に利用される。
【背景技術】
【０００２】従来、プラスチック射出成形機の金型より取り出された製品及びランナー部はプラスチック用横走行型自動取り出し機において製品は正回転コンベアに整列させ、ランナー部はランナー粉砕機上にてランナー部を開放、粉砕していた為、正回転コンベアを置く場所、ランナー粉砕機を置く場所が必要であった。その機器に場所をとられていたため作業範囲の減少、作業効率の悪化につながっていた。
【考案が解決しようとする手段】
【０００３】プラスチック射出成形機、近辺には製品を整列させる正回転コンベアやランナー部を粉砕させる為のランナー粉砕機等多種にわたる周辺機が置かれている。本機は正回転コンベアとランナー部粉砕機を同一線上に置く為に、周辺機器の置き場を縮小、作業場所の拡大及び作業範囲の有効利用ができる。
【課題を解決するための手段】
【０００４】プラスチック用横走行型自動取り出し機。横走行フレームの製品開放位置及びランナー部開放位置を同一場所にできるため横走行フレームに対して直角に同一線上に置くようにし、正回転コンベアに逆回転コンベアを延長取付しランナー部を逆回転コンベア上で開放しランナー粉砕機に、誘導する。
【作用】
【０００５】本考案を使用することによりプラスチック射出成形機周辺の作業場所を広く使える。またプラスチック用自動取り出し機においても本考案を横走行フレームと直角に置くことにより製品及びランナー部を同時に開放することができプラスチック自動取り出し機のサイクルアップ、また横走行上においても途中停止がなくなるため故障箇所の減少につながる。また途中停止がなくなるため加減速が減り消費電力の削減につながる。
【実施例】
【０００６】以下本考案の実施例を説明する。本考案はプラスチック射出成形工場において、射出成形機の周辺を広く使えるようにし、作業場所の確保、作業効率の向上を確保できる。【０００７】本機をプラスチック射出成形工場に使用することにより工場内部作業場所の拡大、拡大することにより作業効率の向上が見込まれる。また関連する射出成形機のサイクルアップも見込まれる。
【図面の簡単な説明】
【０００８】
【図１】製品及びランナー部混合防止用正回転コンベア、逆回転コンベア１対式コンベア機  の外観図。
【図２】同機の側面図
【符号の説明】
１．正回転コンベア
２．逆回転コンベア
３．駆動軸
４．受動軸
５．足
【手続補正２】
【補正対象書類名】図面
【補正対象項目名】全面
【補正方法】変更
【補正の内容】
【書類名】図面
【図１】
0003114777.tif 000005
【図２】
0003114777.tif 000006